(57)【特許請求の範囲】
【請求項１】
布基礎、およびこの布基礎に続く土間コンクリートを打設する施工方法であって、
前記布基礎は、ベース部と、このベース部から立ち上がり前記ベース部よりも断面幅の狭い立ち上がり部とでなり、前記土間コンクリートは、前記布基礎のベース部よりも高くて立ち上がり部の上端よりも低いレベルにある平坦部と、この平坦部の前記布基礎側の縁から斜め下方に延びて前記ベース部の側面に続く傾斜部とを有し、
地盤に、前記布基礎を配置する基礎用空間部、およびこの基礎用空間部に続き前記土間コンクリートの前記傾斜部が配置される傾斜部用空間部を有し、この傾斜部用空間部の底面またはこの傾斜部用空間部の底面に盛られた盛り土の上面が前記傾斜部の打設面となる根切り凹部を掘削する根切り工程と、
前記根切り凹部内に、前記布基礎を打設する基礎型枠を、前記ベース部の土間コンクリート側の側面となる部分が開放された形態で設置する型枠施工工程と、
前記基礎型枠にコンクリートを打設する基礎コンクリート打設工程と、
この打設したコンクリートの完全硬化よりも前に前記平坦部および傾斜部の土間コンクリートを打設する土間コンクリート打設工程、
とを含む基礎・土間一体打ち工法。
【請求項２】
請求項１において、前記土間コンクリート打設工程の後、土間コンクリートの傾斜部と、布基礎の立ち上がり部およびベース部により形成された凹み空間である基礎際凹み空間を砕石で埋める工程を含む基礎・土間一体打ち工法。
【請求項３】
請求項１または請求項２において、前記土間コンクリートの傾斜部における下部を上部に比べて厚くする基礎・土間一体打ち工法。
【請求項４】
請求項１ないし請求項３のいずれか１項において、前記型枠施工工程で、前記基礎型枠のうち布基礎の立ち上がり部を成形する一対の型枠の巾止めに使用する巾止め金物として、その中間部に布基礎の長手方向に延びる山部を有する巾止め金物を使用する基礎・土間一体打ち工法。
【発明の詳細な説明】
【技術分野】
【０００１】
この発明は、布基礎、およびこの布基礎に隣接するコンクリート製の土間を打設する基礎・土間一体打ち工法に関する。
【背景技術】
【０００２】
布基礎に隣接してコンクリート製の土間を打設する従来の施工方法としては、図１２に示す方法が一般的である。先ず図１２（Ａ）のように布基礎の型枠４１，４２内にコンクリート４３を打設し、同図（Ｂ）のように脱型・埋め戻しを行う。この後、同図（Ｃ）のように土間コンクリート４４を打設する。
【先行技術文献】
【特許文献】
【０００３】
【特許文献１】特開２００２−２０６２４４号公報
【特許文献２】特開２００３−１７６６２８号公報
【特許文献３】特開２００４−１３１９４２号公報
【発明の概要】
【発明が解決しようとする課題】
【０００４】
しかし、上記従来方法の場合、布基礎のコンクリート４３の硬化を待って、土間コンクリート４４を打設することが必要であり、両コンクリート４３，４４の打設を同じ日に行うことができない。そのため、コンクリートの打設を、布基礎と土間とに分けて、施工日を変え、２回行うことになる。このため、コンクリートポンプ車の費用が２回分必要でコスト増を招くという問題がある。
【０００５】
他の施工方法として、図１３のように、布基礎の立ち上がり部を成形する型枠４１のうち、土間側に配置する型枠４１Ａとして特殊な形状のものを使用することで、布基礎と土間のコンクリート打設を１回で行う方法もある。この場合、１回のコンクリート打設で布基礎と土間を成形できるのでコンクリートポンプ車の費用は節約できるが、型枠の種類が増加し、また布基礎のベース部上のコンクリート量も増加するのでコスト増を招く。
【０００６】
このほか、布基礎の成形に通常の型枠を使用して、布基礎と土間のコンクリート打設を１回で行う施工方法も提案されているが、この場合、土間のコンクリートをせき止める部材の構成が複雑で、脱型に時間がかかるという問題がある。
【０００７】
また、土間のコンクリートをせき止める型枠を別に設ける施工方法も提案されているが、この場合、前記型枠のほかに、この型枠を下から固定する巾止め金物が必要で、脱型後に基礎際のコンクリート打設も必要になる。また、巾止め金物から床下側に漏水するリスクが生じるという問題がある。
【０００８】
この発明の目的は、特殊な型枠を使用することなく、布基礎と土間のコンクリート打設を同じ日に行うことができて、工期の短縮とコスト低減が可能となる基礎・土間一体打ち工法を提供することである。
【課題を解決するための手段】
【０００９】
この発明の基礎・土間一体打ち工法は、布基礎、およびこの布基礎に続く土間コンクリートを打設する施工方法であって、根切り工程と、型枠施工工程と、基礎コンクリート打設工程と、土間コンクリート打設工程とを含む。
前記布基礎は、ベース部と、このベース部から立ち上がり前記ベース部よりも断面幅の狭い立ち上がり部とでなり、前記土間コンクリートは、前記布基礎のベース部よりも高くて立ち上がり部の上端よりも低いレベルにある平坦部と、この平坦部の前記布基礎側の縁から斜め下方に延びて前記ベース部の側面に続く傾斜部とを有する。
前記根切り工程では、地盤に、前記布基礎を配置する基礎用空間部、およびこの基礎用空間部に続き前記土間コンクリートの前記傾斜部が配置される傾斜部用空間部を有し、この傾斜部用空間部の底面またはこの傾斜部用空間部の底面に盛られた盛り土の上面が前記傾斜部の打設面となる根切り凹部を掘削する。
前記型枠施工工程では、前記根切り凹部内に、前記布基礎を打設する基礎型枠を、前記ベース部の土間コンクリート側の側面となる部分が開放された形態で設置する。
前記基礎コンクリート打設工程では、前記基礎型枠にコンクリートを打設する。この基礎コンクリート打設工程において、基礎型枠のベース部における開放された部分でコンクリートが基礎型枠からはみ出す状態に打設しても良い。このはみ出したコンクリートは根切り凹部における土間の傾斜部の打設面となる傾斜面でせき止められる。
前記土間コンクリート打設工程では、基礎コンクリート打設工程で打設したコンクリートの完全硬化よりも前に前記平坦部および傾斜部の土間コンクリートを打設する。ここで、「完全硬化よりも前」とは、隣に接して打設されたコンクリートと互いに一体に付着可能な程度に未硬化である間を言う。
【００１０】
この工法によると、土間コンクリートの布基礎側の縁から布基礎のベース部の側面に続く傾斜部を設け、布基礎の基礎型枠を、ベース部の土間コンクリート側の側面となる部分が開放された形態で設置する。そのため、基礎コンクリート打設工程において、基礎型枠のベース部における開放された部分でコンクリートが基礎型枠からはみ出すが、そのはみ出したコンクリートは根切り凹部における土間の傾斜部の打設面となる傾斜面でせき止められる。基礎型枠の前記開放された部分は、ベース部の一側面の型枠の設置を省略すれば良く、特殊な型枠は不要である。このように布基礎のベース部を打設し、土間コンクリートに前記傾斜部を設けるため、基礎コンクリートが完全に硬化する前に土間コンクリートを打設して、土間と布基礎のベース部のコンクリートを一体化させることができる。
このように、土間と布基礎のベース部とを一体に打設する工法において、特殊な型枠を使用することなく、布基礎と土間のコンクリート打設を同じ日に行うことができ、工期の短縮とコスト低減が可能となる。
【００１１】
この発明において、前記土間コンクリート打設工程の後、土間コンクリートの傾斜部と、布基礎の立ち上がり部およびベース部により形成された凹み空間である基礎際凹み空間を砕石で埋める工程を含めても良い。このように基礎際凹み空間を砕石で埋めることにより、後日にコンクリートを打設する手間やその養生が不要となる。
【００１２】
この発明において、前記土間コンクリートの傾斜部における下部を上部に比べて厚くしても良い。この構成の場合、土間コンクリートの傾斜部を容易に成形できる。
【００１３】
この発明において、前記型枠施工工程で、前記基礎型枠のうち布基礎の立ち上がり部を成形する一対の型枠の巾止めに使用する巾止め金物として、その中間部に布基礎の長手方向に延びる山部を有する巾止め金物を使用しても良い。
このように、巾止め金物として、その中間部に布基礎の長手方向に延びる山部を有する巾止め金物を使用した場合、布基礎の立ち上がり部の表面側から下方に伝わって来る雨水や散水が、巾止め金物を経由して床下側に浸入するのを、巾止め金物の前記山部で阻止することができる。
【００１４】
この発明において、前記土間コンクリート打設工程の前に、前記土間コンクリートの平坦部および傾斜部が打設される打設面の全体にわたって防湿・防蟻シートを被覆しても良い。
このように、土間コンクリートの平坦部および傾斜部が打設される打設面の全体にわたって防湿・防蟻シートを被覆すると、数年後に土間表面の防蟻ペーストを打ち替えるといった従来のようなメンテナンスが不要になる。
【発明の効果】
【００１５】
この発明の基礎・土間一体打ち工法は、布基礎、およびこの布基礎に続く土間コンクリートを打設する施工方法であって、前記布基礎は、ベース部と、このベース部から立ち上がり前記ベース部よりも断面幅の狭い立ち上がり部とでなり、前記土間コンクリートは、前記布基礎のベース部よりも高くて立ち上がり部の上端よりも低いレベルにある平坦部と、この平坦部の前記布基礎側の縁から斜め下方に延びて前記ベース部の側面に続く傾斜部とを有し、地盤に、前記布基礎を配置する基礎用空間部、およびこの基礎用空間部に続き前記土間コンクリートの前記傾斜部が配置される傾斜部用空間部を有し、この傾斜部用空間部の底面またはこの傾斜部用空間部の底面に盛られた盛り土の上面が前記傾斜部の打設面となる根切り凹部を掘削する根切り工程と、前記根切り凹部内に、前記布基礎を打設する基礎型枠を、前記ベース部の土間コンクリート側の側面となる部分が開放された形態で設置する型枠施工工程と、前記基礎型枠にコンクリートを打設する基礎コンクリート打設工程と、この打設したコンクリートの完全硬化よりも前に前記平坦部および傾斜部の土間コンクリートを打設する土間コンクリート打設工程とを含むため、特殊な型枠を使用することなく、布基礎とこれに隣接する土間のコンクリート打設を同じ日に行うことができ、工期の短縮とコスト低減が可能となる。
【図面の簡単な説明】
【００１６】
【図１】この発明の基礎・土間一体打ち工法の一実施形態の前半工程を示す説明図である。
【図２】同基礎・土間一体打ち工法の後半工程を示す説明図である。
【図３】同基礎・土間一体打ち工法により施工された基礎と土間の全体構造を示す断面図である。
【図４】同基礎・土間一体打ち工法における根切り工程を示す説明図である。
【図５】前記根切り工程で掘削された根切り凹部の底面に砕石を敷設・転圧する工程を示す説明図である。
【図６】土間コンクリート打設工程の前に、防湿・防蟻シートを被覆する工程を示す説明図である。
【図７】型枠施工工程で使用する巾止め金物を示す斜視図である。
【図８】同巾止め金物による漏水防止効果の説明図である。
【図９】土間コンクリートの傾斜部の一例を示す説明図である。
【図１０】土間コンクリートの傾斜部の他の例を示す説明図である。
【図１１】土間コンクリートの傾斜部のさらに他の例を示す説明図である。
【図１２】従来例の説明図である。
【図１３】他の従来例の説明図である。
【発明を実施するための形態】
【００１７】
この発明の一実施形態を図１ないし図１１と共に説明する。この基礎・土間一体打ち工法は、布基礎、およびこの布基礎に隣接する土間コンクリートを打設する施工方法である。対応する建物は、事務所ビル、店舗建物、集合住宅、一般住宅等である。図３に示すように、布基礎６は、ベース部７と、このベース部７から立ち上がり前記ベース部７よりも断面幅の狭い立ち上がり部８とでなる。土間コンクリート９は、布基礎６のベース部７よりも高くて立ち上がり部８の上端よりも低いレベルにある平坦部１０と、この平坦部１０の前記布基礎６側の縁から斜め下方に延びてベース部７の側面に続く傾斜部１１とを有する。
【００１８】
この施工方法では、先ず図４のように、地盤上面レベルＧＬ下に根切り凹部５を掘削する（根切り工程）。根切り凹部５は、前記布基礎６を配置する布基礎用空間部５Ａ（図１（Ａ））と、この空間部５Ａに続き土間コンクリート９の傾斜部１１が配置される傾斜部用空間部５Ｂとを有する。この傾斜部用空間部５Ｂの底面、またはこの傾斜部用空間部５Ｂの底面に盛られた盛り土の上面が前記傾斜部１１の打設面１１ａとなる。
【００１９】
根切り凹部５の底面に、図５のように砕石１２を敷設し、転圧する。さらに、図６のように土間コンクリート９の平坦部１０および傾斜部１１が打設される打設面の全体にわたって防湿・防蟻シート１３を被覆する。このように、土間コンクリート９の平坦部１０および傾斜部１１が打設される打設面１１ａの全体にわたって防湿・防蟻シート１３を被覆すると、数年後に土間表面の防蟻ペーストを打ち替えるといった従来のようなメンテナンスが不要になる。
【００２０】
この後、図１（Ａ）のように、前記根切り凹部５内に、布基礎６を打設する基礎型枠１，２を、ベース部７の土間コンクリート９側の側面となる部分が開放された形態で設置する。具体的には、ベース部７を成形する基礎型枠２のうち、土間側に配置する型枠を省略する。基礎型枠１，２内には、鉄筋３およびアンカーボルト４を配置する。
布基礎６の立ち上がり部８を成形する一対の基礎型枠１，１の固定には、図７に示す帯状の巾止め金物１４を使用して、両基礎型枠１，１の間隔を一定に保つ。この巾止め金物１４は、左右両端に前記基礎型枠１の係合溝１５を有し、中間部に布基礎６の長手方向に延びる山部１６を有する。左右両端の係合溝１５は、折り曲げ片１５ａと切り起こし片１５ｂとで形成される。巾止め金物１４は、完成した布基礎６内に残される。このように中間部に山部１６を有する巾止め金物１４を使用して、布基礎６の立ち上がり部８を成形する一対の基礎型枠１，１の巾止めを行うと、図８のように布基礎６および土間コンクリート９が完成した状態で、矢印Ａ，Ｂで示すように、布基礎６の立ち上がり部８の表面側から下方に伝わって来る雨水や散水が、巾止め金物１４を経由して床下側に浸入するのを、巾止め金物１４の山部１６で阻止することができる。
【００２１】
次に、図１（Ｂ），（Ｃ）のように、布基礎６の型枠１，２内にコンクリート１７を打設する（基礎コンクリート打設工程）。この打設したコンクリート１７の完全硬化よりも前に、図２（Ａ）のように平坦部１０および傾斜部１１の土間コンクリートを打設する（土間コンクリート打設工程）。ここで、「完全硬化よりも前」とは、隣に接して打設されたコンクリートと互いに一体に付着可能な程度に未硬化である間を言う。これにより、布基礎６と土間コンクリート９の打設を同じ日に行うことができ、コンクリートポンプ車の使用を１回で済ませることができる。
この基礎コンクリート打設工程において、基礎型枠１，２のベース部７における開放された部分でコンクリート１７が基礎型枠１，２からはみ出す状態に打設しても良い。このはみ出したコンクリート１７は根切り凹部５における土間コンクリート９の傾斜部１１の打設面となる傾斜面でせき止められる。
【００２２】
ここでは、土間コンクリート９の傾斜部１１における下部を上部に比べて厚くしている。具体的には、図９のように、傾斜部１１の上部を、平坦部１０の厚みｔと等しくし、布基礎６のベース部７に続く下部は平坦部１０の厚みｔよりも厚く（ｔ＋Δｔ２）している。これにより、土間コンクリート９の傾斜部１１の打設を容易に行うことができる。もっとも、図１０のように、傾斜部１１の厚みを、上部と下部とが平坦部１０の厚みｔと同じになるように、あるいは図１１のように傾斜部１１を、平坦部１０よりも厚く（ｔ＋Δｔ１）なるように均一の厚みにしても良い。ただし、これらの場合は、傾斜部１１の成形が難しくなり、傾斜部１１を平坦部１０よりも厚くする場合には傾斜部１１でのコンクリート硬化が遅くなるなどの課題が残る。
【００２３】
この後、コンクリートの養生後に、図２（Ｂ）のように、布基礎型枠１，２を脱型する。さらに、図２（Ｃ）のように、土間コンクリート９の傾斜部１１と、布基礎６の立ち上がり部８およベース部７により形成される凹み空間である基礎際凹み空間１８を、砕石１９で埋める。成形された布基礎６の土間コンクリート９とは反対側の空間も土を埋め戻して布基礎６と土間コンクリート９の施工が完成する。その全体構造を図３に示す。
【００２４】
以上のように、この基礎・土間一体打ち工法によると、特殊な型枠を使用することなく、布基礎６とこれに隣接する土間コンクリート９のコンクリート打設を同じ日に行うことができ、工期の短縮とコスト低減が可能となる。
また、この工法に上記構成の巾止め金物１４を用いることによって、布基礎６の立ち上がり部８の表面側から下方に伝わって来る雨水や散水が、巾止め金物１４を経由して床下側に浸入するのを阻止することができる。
さらに、この工法では、土間コンクリート９の平坦部１０および傾斜部１１が打設される打設面の全体にわたって防湿・防蟻シート１３を被覆するので、数年後に土間表面の防蟻ペーストを打ち替えるといった従来のようなメンテナンスが不要になる。
【符号の説明】
【００２５】
１，２…基礎型枠
５…根切り凹部
５Ａ…基礎用空間部
５Ｂ…傾斜部用空間部
６…布基礎
７…ベース部
８…立ち上がり部
９…土間コンクリート
１０…平坦部
１１…傾斜部
１３…防湿・防蟻シート
１４…巾止め金物
１６…山部
１８…基礎際凹み空間
１９…砕石
【図１】
0005851865.tif 000002
【図２】
0005851865.tif 000003
【図３】
0005851865.tif 000004
【図４】
0005851865.tif 000005
【図５】
0005851865.tif 000006
【図６】
0005851865.tif 000007
【図７】
0005851865.tif 000008
【図８】
0005851865.tif 000009
【図９】
0005851865.tif 000010
【図１０】
0005851865.tif 000011
【図１１】
0005851865.tif 000012
【図１２】
0005851865.tif 000013
【図１３】
0005851865.tif 000014